(57)【要約】  システムは、スプレイ具へ液体を供給するために使用されるカップのために供給される。システムは、カップと、カップ内部に取り付けるように構成されたフィルタと、フィルタを横切って延びる１つ又は複数の支持体と、フィルタを保持するように構成された保持体と、を含むことができる。
2019511981.tif 000002
【特許請求の範囲】
【請求項１】
カップと、
前記カップ内部に取り付けるように構成されたフィルタと、
前記フィルタを保持するように構成された第１保持体と、
を備えるシステム。
【請求項２】
前記第１保持体が第１保持リングを備える、請求項１に記載のシステム。
【請求項３】
前記第１保持体の外側面が前記カップの内側面と接触して摩擦嵌め境界部を生成するように構成される、請求項１に記載のシステム。
【請求項４】
前記第１保持体が少なくとも１つのスナップ嵌め構造体を備え、前記少なくとも１つのスナップ嵌め構造体が、１つ又は複数の突出部、１つ又は複数の凹部又はその組合せを備える、請求項１に記載のシステム。
【請求項５】
前記第１保持体を保持するように構成された第２保持体を備え、前記第１及び第２保持体が相互に別個である、請求項１に記載のシステム。
【請求項６】
前記フィルタを横切って延びる１つ又は複数の支持体を備える、請求項１に記載のシステム。
【請求項７】
前記フィルタに結合されたグリップ構造体を備える、請求項１に記載のシステム。
【請求項８】
前記フィルタを貫通するチューブ用開口部を備える、請求項１に記載のシステム。
【請求項９】
前記チューブ用開口部を通過して延びる通気チューブを備える、請求項８に記載のシステム。
【請求項１０】
前記カップに取外し可能に結合された蓋を有する容器を備え、前記フィルタが、前記カップ内部にかつ前記蓋外部に取り付けるように構成される、請求項１に記載のシステム。
【請求項１１】
前記蓋の流体出口に結合された流体入口を有するスプレイ具を備える、請求項１０に記載のシステム。
【請求項１２】
カップ内部に取り付けるように構成されたフィルタと、
前記フィルタを保持するように構成された第１保持体と、
を備えるシステム。
【請求項１３】
前記第１保持体が第１保持リングを備える、請求項１２に記載のシステム。
【請求項１４】
前記第１保持体の外側面が、前記カップの内側面と接触して摩擦嵌め境界部を生成するように構成される、請求項１２に記載のシステム。
【請求項１５】
前記第１保持体が少なくとも１つのスナップ嵌め構造体を備える、請求項１２に記載のシステム。
【請求項１６】
前記少なくとも１つのスナップ嵌め構造体が、１つ又は複数の突出部、１つまたは複数の凹部又はその組合せを備える、請求項１５に記載のシステム。
【請求項１７】
前記第１保持体が、前記カップ内部で環状ショルダに軸方向に当接する第１部分を有する、請求項１２に記載のシステム。
【請求項１８】
前記第１保持体が、前記カップにおいて前記環状ショルダの下方で開口部から離れて延びる第２部分を有する、請求項１７に記載のシステム。
【請求項１９】
前記第１保持体が、前記カップにおいて前記環状ショルダの上方で開口部へ向かって延びる第２部分を有する、請求項１７に記載のシステム。
【請求項２０】
前記第１保持体を保持するように構成された第２保持体を備え、前記第１及び第２保持体が相互に別個である、請求項１２に記載のシステム。
【請求項２１】
前記フィルタを横切って延びる１つ又は複数の支持体を備える、請求項１２に記載のシステム。
【請求項２２】
前記フィルタに結合されたグリップ構造体を備える、請求項１２に記載のシステム。
【請求項２３】
前記フィルタを貫通するチューブ用開口部を備える、請求項１２に記載のシステム。
【請求項２４】
前記カップに取外し可能に結合された蓋を有する容器を備え、前記フィルタが、前記カップ内部にかつ前記蓋外部に取り付けるように構成される、請求項１２に記載のシステム。
【請求項２５】
フィルタと、
前記フィルタを横切って延びる１つ又は複数の支持体と、
前記フィルタを貫通する通気チューブ用開口部と、
前記フィルタを保持するように構成された第１保持体と、
を備える、システム。
【発明の詳細な説明】
【技術分野】
【０００１】
関連出願の相互参照
本出願は、２０１６年２月２３日に提出された米国仮出願第６２２９８９２８号「流体窮境カップの中に配置されたフィルタを有するシステム及び方法」（その全体が参照により本明細書に援用される）に対する優先権及びその利益を主張する。
【０００２】
本発明は、概略的にスプレイ具、具体的にはスプレイ具用の容器組立体に関する。
【背景技術】
【０００３】
この節は、以下で説明する本開示の様々な形態に関連する技術の様々な形態を紹介するためのものである。この論述は、本開示の様々な形態をより良く理解できるようにするための背景情報を与えるのに役立つと思われる。したがって、下記のことは先行技術の容認としてではなく背景情報として読むべきことが分かるはずである。
【０００４】
スプレイ具は、多様な対象物体に対してスプレイ塗装を行うために使用される。残念なことに、塗料は、スプレイ具の詰り、流量の減少及び性能低下を生じる可能性のある粒子を含む。詰まってしまうと、スプレイ具は、浄化及び修理のために使用中止する可能性がある。塗料は、スプレイ具で使用する前に（例えば、スプレイ具から完全に分離した別個の混合プロセスにおいて）事前ろ過できるが、それでも汚染物質及び粒子が塗料に入る及び／又は塗料の中に形成される可能性がある。したがって、スプレイ具のろ過システムを改良する必要がある。
【発明の概要】
【０００５】
オリジナルの特許請求された発明と範囲に関して同等の実施形態について以下で要約する。これらの実施形態は、本出願において主張される発明の範囲を限定するものではなく、これらの実施形態は、単に本発明の可能な形態の概要を示すためのものである。実際、本発明は、以下で示す実施形態と同様又は異なる様々な形態を包含しうる。
【０００６】
第１実施形態において、システムは、カップと、カップ内部に取り付けるように構成されたフィルタと、フィルタを保持するように構成された第１保持体とを含む。
【０００７】
第２実施形態において、システムは、カップ内部に取り付けるように構成されたフィルタと、フィルタを保持するように構成された第１保持体とを含む。
【０００８】
第３実施形態において、システムは、フィルタと、フィルタを横切って延びる１つ又は複数の支持体と、フィルタを貫通する通気チューブ用開口部と、フィルタを保持するように構成された第１保持体と、を含む。
【０００９】
本発明の上記の及びその他の特徴、形態及び利点は、添付図面を参照しながら下記の詳細な説明を読めばより良く理解できる。図面において、同様の符号は同様の部品を表す。
【図面の簡単な説明】
【００１０】
【図１】重力供給容器組立体を有するスプレイ塗装システムの実施形態を示すブロック図である。
【図２】図１の重力供給容器組立体を利用するスプレイ塗装プロセスの実施形態を示すフローチャートである。
【図３】図１の重力供給容器組立体に結合されたスプレイ具の実施形態の断面側面図である。
【図４】図３の重力供給容器組立体の実施形態の切取り分解斜視図であり、組立前の蓋、フィルタ組立体及びカップを示す。
【図５】図３の重量送り容器組立体の実施形態の断面分解側面図である。
【図６】組立後の蓋、フィルタ組立体及びカップを示す、図３の重力供給容器組立体の実施形態の断面側面図であり、フィルタ組立体は、カップ内部にかつ蓋外部に取外し可能に取り付けられている。
【図７】蓋とカップとの間のカップリング及び少なくとも１つのスナップ嵌め構造体を有する第１締結具によってカップ内部にかつ蓋外部に保持されるフィルタ組立体を示す、線７−７内を示す図６の重力供給容器組立体の実施形態の部分断面図である。
【図８】１つ又は複数の凹部に配置された１つ又は複数の突出部を持つ少なくとも１つのスナップ嵌め構造体を有する第１保持体の細部を示す、線８−８内を示す図７の重力供給容器組立体の実施形態の部分断面図である。
【図９】カップ内部にかつ蓋外部に取外し可能に取り付けられたフィルタ組立体を示し、線７−７内に含まれる図６の重力供給容器組立体の実施形態の部分断面図であり、フィルタ組立体は、第１部分及び／又は第２部分に沿った摩擦嵌め境界部を有する第１保持体を含み、第２部分はカップの開口部へ向かって延びる。
【図１０】カップ内部にかつ蓋外部に取外し可能に取り付けられたフィルタ組立体を示す、図９の重力供給容器組立体の実施形態の部分断面図であり、フィルタ保持体の第２部分は、対応する円滑面又は非円滑面と噛み合ってスナップ嵌め構造を生成する複数の突出部及び／又は凹部（例えば複数の噛合い凹部及び／又は突出部）を持つ。
【図１１】カップ内部にかつ蓋外部に取外し可能に取り付けられたフィルタ組立体を示す、図９の重力供給容器組立体の実施形態の部分断面図であり、フィルタ組立体は、第１保持体と別個の第２保持体とを含む。
【図１２】カップ内部にかつ蓋外部に取外し可能に取り付けられたフィルタ組立体を示す、図９の重力供給容器組立体の実施形態の部分断面図であり、フィルタ組立体は、カップの開口部から離れて延びる第２部分を有する第１保持体を含む。
【発明を実施するための形態】
【００１１】
以下で詳細に説明するように、重力供給容器組立体は、ペンキなどの液体塗料をろ過するために提供される。特に、容器組立体の実施形態は、容器又はカップの中へ陥凹したフィルタを含む。例えば、容器組立体は、蓋と、カップ内部にかつ蓋外部に取外し可能に取り付けられたフィルタと、を含むことができる。フィルタは、カップにペンキを再充填できるようにするために取外し可能に取り付けられる。フィルタは、カップからペンキを注入するとき汚れの発生を少なくするようにカップの中へ陥凹され、それによって、フィルタを所定の位置に保持しながら貯蔵蓋をカップに取り付けできるようにする。いくつかの実施形態にいて、フィルタは、取外しを容易にできるタブ又は延長リブなどの特徴体を持つことができる。
【００１２】
以下で論じるように、開示する実施形態は、容器組立体のカップ又は主要容器部分の内部に取り付けるように構成される一方で、蓋を妨害しないように容器組立体の蓋又はカバー部分の外部に配置されるフィルタ組立体（例えば、フィルタ及び１つ又は複数の保持体、支持構造体、グリップ構造体、チューブ用開口部など）を提供する。例えば、フィルタ組立体は、スナップ嵌め構造体（例えば、凹部の中の突出部）、摩擦嵌め、クランプ、取外し可能締結具又はこれらの組合せなど１つ又は複数の保持体によって、カップ内に保持できる。フィルタ組立体は、主要開口部の下方でカップの中へ陥凹され、主開口部の下方にカップ内部の環状ショルダに乗るか又はショルダによって支持できる。フィルタ組立体は、特定のカップ内に嵌合するように設計するか、又はフィルタ組立体は、様々な既存のカップ内に万能的に嵌合又は付替えするように設計できる。蓋ではなくカップの中にフィルタ組立体を保持することによって、蓋は、より小さいプロフィルで設計でき、フィルタ組立体は、より大きい空間及び保持選択肢があるので、カップの中でより良く保持でき、蓋は、異なるフィルタ組立体を持つ様々な容器を受け入れながら、カップと蓋との間に特定の結合を維持できる。更に、フィルタ組立体を蓋ではなくカップの中に保持することによって、蓋は、非処分可能構成要素（例えば、長期的な摩耗、損傷などを除いて無制限に使用できる）とし、カップ及びフィルタ組立体は処分可能（例えば、１、２、３、４、５、６、７、８、９又は１０回の使用など限定回数の使用後に）要素とすることができる。更に、異なる流体（例えば、水性ペンキ、溶剤性ペンキ、ステインなど）、異なるフィルタ材料（例えば、薄膜、紙、ファブリック、プラスチック、金属又はこれらの組合せ）、異なる厚み、異なる保持体（例えば、スナップ嵌め、摩擦嵌め、クランプなど）又はこれらの組合せ用に設計された異なるろ過特性（異なるサイズの粒子をろ過する）を持つ複数の異なるフィルタ組立体を構成できる。以下において、重力供給スプレイ具に関してフィルタ組立体及び容器組立体について論述するが、開示する実施形態は、容器組立体が取り付けられている任意のタイプのスプレイ具に使用できる。例えば、開示する実施形態は、サイフォン式スプレイ具に使用でき、スプレイ具は、スプレイ具の底部分に沿って流体入口に結合された容器組立体を持つことができ、容器組立体からスプレイ具の中へ流体を吸い上げるためにスプレイ具を通過する気体（例えば、空気）の流れによる真空を利用する。
【００１３】
図１は、所望の塗装液を対象物体１４に塗装するためのスプレイ具１２を備えるスプレイ塗装システム１０を図解するフローチャートである。スプレイ具１２は、液体供給源１６、空気供給源１８．及び制御システム２０など、様々な供給及び制御システムに結合できる。以下で詳細に論じるように、液体供給源１６は、カップ又は容器部分に結合された蓋又はカバーを有する容器組立体を含むことができ、フィルタ組立体が、カップ内部にかつ蓋外部に配置される。例えば、フィルタ組立体は、フィルタと、カップ内部においてカップへ通じる主要開口部の下にフィルタを保持する１つ又は複数の保持体と、を含むことができる。制御システム２０は、液体及び空気供給源１６及び１８の制御を容易にし、スプレイ具１２が対象物体１４に対して許容できる品質のスプレイ塗装を与えるようにする。例えば、制御システム２０は、自動化システム２２と、位置決めシステム２４と、液体供給コントローラ２６と、空気供給コントローラ２８と、コンピュータシステム３０と、ユーザーインターフェイス３２と、を含むことができる。制御システム２０は、スプレイ具１２に対する対象物体１４の動きを容易にする位置決めシステム３４にも結合できる。したがって、スプレイ塗装システム１０は、塗装液、液体及び空気の流量及びスプレイパターンのコンピュータ制御された混合物を提供できる。
【００１４】
図１のスプレイ塗装システム１０は、多様な用途、液体、対象物体及びスプレイ具１２のタイプ／構成に応用可能である。例えば、使用者は、複数の異なる塗装液４２から所望の液体４０を選択でき、塗装液は、金属、プラスチック、セラミック及び木材など様々な材料のために異なる塗装タイプ、色、テクスチャ及び特性を含むことができる。使用者は、又、異なる材料及び製品タイプなど様々な異なる対象物体３８から所望の物体３６を選択できる。スプレイ具１２は、使用者が選択した対象物体１４及び液体供給源１６に合わせて様々な異なる構成要素及びスプレイ形成機構を有する液体塗装スプレイ具（例えば、液体塗料）を含むことができる。例えば、スプレイ具１２は、静電スプレイ具、回転霧化スプレイ具（例えば回転ベルカップスプレイ具）、無気又は液圧霧化スプレイ具（例えば、気体なしに塗料を噴霧する）、エアアシスト又は空気圧霧化スプレイ具（例えば、空気などの気体の助けで塗料を噴霧する）、重力供給スプレイ具（例えば、スプレイ具の上方に配置されスプレイ具に結合された重力供給容器を持つ）、サイフォン式スプレイ具（例えば、スプレイ具の下方に配置されスプレイ具に結合されたサイフォン式容器を持つ）又はこれらの任意の組合せを含むことができる。
【００１５】
図２は、対象物体１４に所望のスプレイ塗装液を塗布するためのスプレイ塗装プロセス５０のフローチャートである。図示するように、プロセス５０は、所望の液体を塗布するための対象物体を特定する（ブロック５２）ことから始まる。その後、プロセス５０は、対象物体１４の塗装面に塗布するための所望の液体４０を選択すること（ブロック５４）へ進む。使用者は、その後、特定された対象物体１４及び選択された液体４０のためのスプレイ具１２を構成できる（ブロック５６）。使用者がスプレイ具１２を係合すると、プロセス５０は、選択された液体４０の霧化スプレイの生成（ブロック５８）へ進む。その後、使用者は、対象物体１４の所望の面に霧化スプレイ塗装できる（ブロック６０）。その後、プロセス５０は、所望の面に塗布された塗装の硬化／乾燥（ブロック６２）へ進む。質問ブロック６４において選択された液体４０を更に塗装することを使用者が望む場合、プロセス５０は、選択された液体４０を更に塗装するためにブロック５８、６０及び６２へ進む。質問ブロックにおいて使用者が選択された液体の追加塗装を望まない場合、プロセス５０は、新しい液体の塗装を使用者が望むか否かを判定するための質問ブロック６６へ進む。使用者が質問ブロック６６において新しい液体の塗装を望む場合、プロセス５０は、スプレイ塗装のために新たに選択された液体を用いてブロック５４、５６、５８、６０、６２及び６４へ進む。質問ブロック６６において使用者が新しい液体の塗装を望まない場合、プロセス５０はブロック６８において終了する。
【００１６】
図３は、液体供給源１６に結合されたスプレイ具１２の実施形態の断面側面図である。図示する実施形態において、スプレイ具１２は、重力供給スプレイ具である。但し、上述のように、開示する実施形態は、サイフォン式スプレイ具などの他のタイプのスプレイ具１２にも応用可能である。図示するように、スプレイ具１２は、本体８２に結合されたスプレイ先端組立体８０を含む。スプレイ先端組立体８０は、本体８２の受容体８６に取外し可能に挿入できる液体送出先端組立体８４を含む。例えば、複数の異なるタイプのスプレイ具を、液体送出先端組立体８４を受け入れて使用するように構成できる。スプレイ先端組立体８０は、液体送出先端組立体８４に結合されたスプレイ形成組立体８８も含む。スプレイ形成組立体８８は、空気噴霧、回転噴霧及び静電気機構などの様々なスプレイ形成機構を含むことができる。但し、図示するスプレイ形成組立体８８は、保持ナット９２を介して本体８２に取外し可能に固定される空気噴霧キャップ９０を含む。空気噴霧キャップ９０は、液体送出先端組立体９４からの液体先端出口９６の周りに配置された中央噴霧口９４などの様々な空気噴霧口を含む。空気噴霧キャップ９０は、スプレイに所望のスプレイパターン（例えば、フラットスプレイ）を形成させるために空気ジェットを使用するスプレイ成形口９８などの１つ又は複数のスプレイ成形空気口を持つことができる。スプレイ形成組立体８８は、又、所望のスプレイパターン及び飛沫分布を与えるための様々な他の噴霧機構を含むことができる。
【００１７】
スプレイ具１２の本体８２は、スプレイ先端組立体８０のための様々な制御装置及び供給機構を含む。図示するように、本体８２は、液体入口カップリング１０４から液体送出先端組立体８４まで延びる液体通路１０２を有する液体送出組立体１００を含む。液体送出組立体１００は、液体通路１０２を通過する液体送出先端組立体８４までの液体の流れを制御するための液体弁組立体１０６を含む。図示する液体弁組立体１０６は、液体送出先端組立体８４と液体弁アジャスタ１１０との間で本体８２を通過して移動可能に延びるニードル弁１０８を有する。液体弁アジャスタ１１０は、ニードル弁１０８の後部区分１１４と液体弁アジャスタ１１０の内部部分１１６との間に配置されたバネ１１２に対抗して回転式に調節可能である。ニードル弁１０８は、トリガ１１８がピボットジョイント１２０の周りを左回りに回転するときニードル弁が液体送出先端組立体８４から離れて内向きに移動できるように、トリガ１１８に結合される。但し、内向き又は外向きに開放可能な任意の適切な弁組立体を本開示の技術の範囲内で使用できる。液体弁組立体１０６は、ニードル弁１０８と本体８２との間に配置されたパッキング組立体１２２などの様々なパッキング及びシール組立体も含むことができる。
【００１８】
又、空気供給組立体１２４が、スプレイ形成組立体８８における噴霧を容易にするために本体８２に配置される。図示する空気供給組立体１２４は、空気通路１２８及び１３０を介して、空気入口カップリング１２６から空気噴霧キャップ９０まで延びる。空気供給組立体１２４は、スプレイ具１２を通過する空気の圧力及び流量を維持し調整するために、様々なシール組立体、空気弁組立体及び空気弁アジャスタも含む。例えば、図示する空気供給組立体１２４は、ピボットジョイント１２０の周りでトリガ１１８が回転すると空気弁組立体１３２が開いて空気通路１２８から空気通路１３０への空気の流れを許容するように、トリガ１１８に結合された空気弁組立体１３２を含む。空気供給組立体１２４は、空気噴霧キャップ９０への空気の流れを調節するために空気弁アジャスタ１３４も含む。図示するように、トリガ１１８は、トリガ１１８が本体８２のハンドル１３６へ向けて引っ張られるとき、液体と空気が同時にスプレイ先端組立体８０へ流れるように、液体弁組立体１０６及び空気弁組立体１３２の両方に結合される。係合すると、スプレイ具１２は、所望のスプレイパターン及び飛沫分布を持つ霧化スプレイを生成する。
【００１９】
図３に示す実施形態において、空気供給源１８は、空気導管１３８を介して空気入口カップリング１２６に結合される。空気供給源１８の実施形態としては、エアコンプレッサ、圧縮空気タンク、圧縮不活性ガスタンク又はその組合せがある。図示する実施形態において、液体供給源１６は、スプレイ具１２に直接取り付けられる。図示する液体供給源１６は、容器組立体１４０を含む。容器組立体は、カップ又は容器１４２と、蓋又はカバー部分１４４と、を含む。いくつかの実施形態において、カップ１４２は、適切な紙及び／又はポリプロピレンなどのプラスチック材料で作られた可撓性カップとすることができる。更に、カップ１４２は、使用者が使用後カップ１４２を廃棄できるように、処分可能とすることができる。蓋１４４は、液体導管１４８に結合された液体出口１４６と、通気チューブ１５０と、を含む。通気管は、通気入口１５４と通気出口１５６との間に配置された一方向弁１５２（例えば逆止め弁）を含む。カップ１４２は、液体（例えば、液体塗料混合物）をろ過してその中の望ましくない粒子がスプレイ具１２へ進入するのをブロックするために、カップ内部１４２にかつ蓋１４４外部に取外し可能に取り付けられたフィルタ組立体１５８を含む。フィルタ組立体１５８は、蓋１４４が閉鎖され／カップ１４２の口に嵌められたとき、チューブ用開口部１６０を通過してカップ１４２の内部まで延びる通気チューブ１５０を収容するために、フィルタ２００を貫通するチューブ用開口部１６０を含む。以下で更に詳細に論じるように、フィルタ組立体１５８は、様々な構成及び保持体を介してカップ１４２内部にかつ蓋１４４外部に取外し可能に取り付けできる。
【００２０】
特定の実施形態において、容器組立体１４０の構成要素の全て又はいくつかは、透明または半透明のプラスチック、繊維性又はセルロース性材料、非金属材料又はその組合せなど処分可能及び／又は再生可能材料で作ることができる。例えば、容器組立体１４０（例えば、カップ１４、蓋１４４又はその両方）は、全体的に又は実質的に（例えば、７５、８０、８５、９０、９５、９９パーセント超え）処分可能及び／又は再生可能な材料から作ることができる。プラスチック容器組立体（例えば、カップ１４、蓋１４４、又はその両方）の実施形態は、基本的に又は全体的に重合体例えばポリエチレンから成る材料組成を含む。繊維性容器組立体１４０（例えば、カップ１４、蓋１４４又はその両方）の実施形態は、基本的又は全体的に天然繊維（例えば、植物性繊維、木部繊維、動物性繊維又は鉱物繊維）又は合成／人工繊維（例えば、セルロース、ミネラル又は重合体）から成る材料組成を含む。セルロース繊維の例は、モダル又はバンブーを含む。重合体繊維の例は、ナイロン、ポリエステル、ポリビニル、塩化物、ポリオレフィン、アラミド、ポリエチレン、エラストマー及びポリウレタンを含む。特定の実施形態において、カップ１４２は、使い捨て用に設計できる（但し、カップ１４２は、１、２、３、４、５、６、７、８、９又は１０回使用など限定された使用回数のために使用できる）が、蓋１４４は、非処分可能としかつ／又は無制限使用のために設計できる。別の実施形態において、蓋１４４は、使い捨て用に設計でき（蓋は１、２、３、４、５、６、７、８，９又は１０回など限定された使用回数使用できる）、カップ１４２は、処分不能としかつ／かつ無制限使用のために設計できる。他の実施形態において、カップ１４２及び蓋１４４の両方を処分可能とし、廃棄前に１回又は限定回数使用するために設計できる。
【００２１】
更に図３に示すように、容器組立体１４０は、重力供給構成において上からスプレイ具１２に結合される。セットアップにおいて、カップ１４２は、スプレイ具１２とは分離して開放側を上に向けた位置で塗装液（例えば、ペンキ）を充填又は予充填できる。カップ１４２に塗装液が予充填され、密封される場合、セットアップには、カップ１４２のシールを外し（例えば、一時的又は貯蔵用カバーを取り外す）、カップ１４２内部にフィルタ組立体１５８を設置し、その後蓋１４４を設置することを含む。但し、特定の実施形態において、フィルタ組立体１５８は、蓋１４２の設置前に、密封されたカップ１４２内部に予設置できる。特定の実施形態において、塗装液は、カップ１４２充填前に予混合するか、又は、塗装液は、カップ１４２内で混合し、その後、カップの中にフィルタ組立体１５８を設置し、カップ１４２に蓋１４４を設置できる。特定の実施形態において、塗装液は、例えば、フィルタ組立体１５８のチューブ用開口部１６０を介して塗装液を注入することによって、フィルタ組立体１５８がカップ１４２内部に既に取り付けられている状態でカップ１４２の中へ供給できる。セットアップのタイプに関係なく、組立て済みのカップ１４２、蓋１４４及びフィルタ組立体１５８（例えば、容器組立体１４０）は、その後スプレイ具１２に直接結合できる。
【００２２】
スプレイ具１２との接続は、ネジ式接続、螺旋溝に配置された突出部、スナップ嵌め接続、締まり嵌め接続又はその任意の組合せなどのロック機構を介して蓋１４４に結合されたアダプタ１６６によって実現できる。例えば、ロック機構は、液体導管１４８の外側面に配置された正のロック機構（例えば半径方向突出部）と、アダプタ１６６の内側面に配置されたこれと噛み合うロック機構（例えば半径方向凹部）と、を含むことができる。カップ１４２が反転されると、塗装液の一部分は部分的に通気チューブ１５０へ進入する可能性があるが、逆止め弁１５２はそれ以上の液体の流れをブロックする。スプレイ具１２の使用時に、塗装液はカップ１４２から流れ、塗装液は、フィルタ組立体１５８によってろ過され、その後蓋１４４を通過して、流体流路１６２に沿ってスプレイ具１２の中へ流れる。同時に、空気が、通気チューブ１５０を通過して空気流路１６４を介してカップ１４２へ進入する。
【００２３】
図４は、図３の容器組立体の実施形態の切取り部分分解斜視図であり、相互に分解されたカップ１４２、蓋１４４及びフィルタ組立体１５８を示す。図示する実施形態において、容器組立体１４０は、カップ１４２と、カップ１４２内部のフィルタ組立体１５８と、蓋１４４とを含む。カップ１４２は、上部開口部１９０と、環状ショルダ１９２と、側壁１９４（例えば、環状側壁）と、流体室１９６と、底壁１９８と、を含む。上述のように、カップ１４２は、処分可能カップ又は再使用可能カップとすることができる。カップ１４２は、上部開口部１９０と環状ショルダ１９２との間に環状内側面１９１（例えば、円筒形又はテーパー状／円錐形面）を持つことができ、それによって、フィルタ組立体１５８の保持を容易にする。面１９１は、上部開口部１９０と環状ショルダ１９２との間で全体的に円滑であり（例えば、ネジ山無し、凹部無し、リブ無しなど）、それによって、摩擦嵌め又は締まり嵌めを容易にする。但し、いくつかの実施形態において、面１９１は、フィルタ組立体１５８の取付けを容易にするために、スナップ嵌め特徴体（例えば、突出部及び／又は溝）などの付加的保持特徴体を含むことができる。
【００２４】
フィルタ組立体１５８は、第１保持体２０２によってフィルタ組立体１５８の中に保持され支持構造体２０４によって支持されるフィルタ２００を含むことができる。特定の実施形態において、フィルタ２００は、フィルタ保持体２０２及び／又は支持構造体２０４に対して別個に取外し可能な構成要素とすることができる。但し、いくつかの実施形態において、フィルタ２００は、第１保持体２０２及び／又は支持構造体２０４に固定的に固定されかつ／又は一体的に形成できる。フィルタ２００は、同じ又は異なる特徴を持つ平行フィルタ要素など、１つ又は複数のフィルタ層又はフィルタ要素（例えば、１、２、３、４、５、６、７、８、９、１０又はそれ以上の積み重ねフィルタの層）を含むことができる。第１保持体２０２は、円周縁にフィルタ２００を保持するための第１保持リング２０６を含むことができる。支持構造体２０４は、円周縁においてフィルタ２００を支持するための外側支持体２０８（例えば、環状支持体、リブ又はブレース）と、フィルタ２００を横切って延びる中央支持体２１０（例えば、直線支持体、リブ又はブレース）と、を含むことができる。特定の実施形態において、支持構造体２０４は、平行の列状に、十字形の列（例えば、グリッド）又はその任意の組合せでフィルタ２００を横切って延びる複数の中央支持体２１０（例えば、２、３、４、５、６、７、８、９又は１０の支持体）を含むことができる。
【００２５】
中央支持体２１０は、更に、グリップ（例えば、使用者の指でのグリップ）のための１つ又は複数のグリップ構造体２１２を含むことができる。グリップ構造体２１２は、フィルタ組立体１５８の取外しを容易にできる（例えば、掴むための場所を与えるタブ、延長リブ、ループ又は弓形構造体）。図示するグリップ構造体２１２は、フィルタ組立体１５８の中央領域に配置される。但し、１つ又は複数のグリップ構造体２１２を、フィルタ組立体１５８の中央部及び／又は周囲部分に（例えば、外側支持体２０８に沿って）配置できる。
【００２６】
フィルタ組立体１５８は、又、支持構造体２０４の一部分（例えば、環状支持部分２０５）を貫通するチューブ用開口部１６０を含む。この場合にも、チューブ用開口部１６０は、蓋１４４の通気チューブ１５０を受け入れこれで密封するように構成され、フィルタ組立体１５８をカップ１４２の中に設置したままカップ１４２の中へ液体塗料を供給するために使用できる。チューブ用開口部１６０は、環状支持部分２０５に１つ又は複数のシール２０７（例えば、環状シール）を含むことができる。例えば、シール２０７は、支持部分２０５内の環状溝に配置されるエラストマーＯリング、支持部分２０５内に一体的に形成された環状リブを含むか、又は、支持部分２０５自体が、環状シール２０７（例えば、通気チューブ１５０に対して摩擦シールを形成するためにプラスチック材で作られた支持構造体２０４）を形成できる。
【００２７】
蓋１４４は、流体出口１４６と、通気チューブ１５０と、内側壁２１４（例えば、内側環状壁）と外側壁２１６（例えば、外側環状壁）と、を含む。通気チューブ１５０は、通気入口１５４と通気出口１５６との間に配置された逆止め弁１５２を含む。外側壁２１６は、更に、蓋１４４がカップ１４２の口２２０の上に配置され口に軸方向に当接するとき、蓋１４４をカップ１４２に取外し可能に結合できるようにするために、取付け部又はカップリング２１８（例えば、スナップ嵌め境界部２１８）を含む。いくつかの実施形態において、カップリング２１８は、ネジ式カップリング、クランプ式カップリング、ラッチ式カップリング又はこれらの任意の組合せを含むことができる。
【００２８】
図５は、組立前の図３の容器組立体１４０の実施形態の断面側面分解図であり、相互に分解された蓋１４４、フィルタ組立体１５８及びカップ１４２を示す。フィルタ組立体１５８は、軸方向にカップ１４２の上方に配置され、フィルタ組立体１５８及びカップ１４２の口２２０の円周は、ほぼ同心に整列される。蓋１４４は、軸方向にフィルタ組立体１５８の上方に配置され、蓋１４４及びフィルタ組立体１５８の円周は、ほぼ同心に整列され、通気チューブ１５０及びチューブ用開口部１６０は、通気出口１５６がチューブ用開口部１６０の上方に乗る状態で、軸方向に同軸に整列される。したがって、蓋１４４、フィルタ組立体１５８及びカップ１４２は、それぞれに組立準備完了位置にある。
【００２９】
図６は、組立後の図３の容器組立体１４０の実施形態の断面側面図であり、カップ１４２内部にかつ蓋１４４外部に取外し可能に取り付けられたフィルタ組立体１５８及びカップ１４２に結合された蓋１４４を示す。フィルタ組立体１５８は、環状ショルダ１９２の上方に配置され環状ショルダ１９２に軸方向に当接し、取付け境界部２４２を介してカップ１４２内部にかつ蓋１４４外部に取外し可能に取り付けられる。取付け境界部２４２は、カップ１４２の内側面２４０（例えば面１９１）に接触してスナップ嵌め境界部、摩擦嵌め境界部又は締まり嵌め境界部を生成するフィルタ組立体１５８の半径方向外側端又は周囲縁（例えば、第１保持体２０２）を含むことができる（図７〜１２において以下で更に詳細に論じる）。通気チューブ１５０がチューブ用開口部１６０を通過して流体室１９６の中まで延びる状態で、蓋１４４は、カップ１４２の口２２０の上方に配置され、口と軸方向に当接し、通気チューブ１５０は、環状支持部分２０５のシール２０７によってチューブ用開口部１６０内に封止される。図示する実施形態において、通気チューブ１５０は、支持部分２０５内に嵌合するテーパー状環状チューブ（例えば、円錐形チューブ）を有し、それによって、シール２０７との間の圧縮シールを容易にする。蓋１４４とカップ１４２との間の結合は、カップリング２１８（例えば、スナップ嵌め境界部２１８）によって得られる（図７において更に詳細に論じる）。
【００３０】
図７は、線７−７内を示す図６の容器組立体１４０の実施形態の部分断面図であり、取外し可能に結合された蓋１４４及びカップ１４２、及びカップ１４２内部にかつ蓋１４４外部に取外し可能に取り付けられたフィルタ組立体１５８を示す。図示する実施形態において、蓋１４４の外側壁２１６は、内側壁２１４へ向かって半径方向内向きに内側壁２１４と外側壁２１６との間の環状空間２１５の中まで延びる複数のスナップ嵌め突出部２６０を含むことができる。カップ１４２の口２２０は、半径方向外向きに突出するスナップ嵌めリップ２６２を含み、スナップ嵌め突出部２６０を受け入れるように構成されたスナップ嵌め凹部２６４を形成できる。例えば、カップ１４４の側壁１９４は、側壁１９４、スナップ嵌めリップ２６２及びスナップ嵌め凹部２６４が環状空間２１５の中に配置されてスナップ嵌め突出部２６０がスナップ嵌めリップ２６２の下方でスナップ嵌め凹部２６４の中にあるように、蓋１４４の内側壁２１４と外側壁２１６との間の環状空間２１５の中へ軸方向に挿入できる。このようにして、側壁１９４は、内側壁２１４と外側壁２１６との間に圧縮嵌合され、スナップ嵌め突出部２６０は、スナップ嵌め凹部２６４の中へスナップ式に嵌って、蓋１４４をカップ１４４に確実にロックする。
【００３１】
更に、図示する実施形態において、フィルタ組立体１５８は、カップ１４２内部に、環状ショルダ１９２の上に軸方向に当接して、かつ蓋１４４外部に、取外し可能に取り付けられる。具体的には、フィルタ２００を保持する第１保持体２０２は、環状ショルダ１９２の上に軸方向にこれに当接して、取付け境界部２４２を介してカップ１４２内部にかつ蓋１４４外部に取外し可能に取り付けられる。例えば、取付け境界部２４２は、第１保持体２０２の外側面２６６（例えば、環状外側面）とカップ１４２の内側面２４０（例えば、環状内側面１９１）との間にある。更に、取付け境界部２４２は、スナップ嵌め境界部、摩擦嵌め境界部又は締まり嵌め境界部（図８〜１２において更に詳細に論じる）を含むことができる。
【００３２】
図８は、線８−８内を示す図７の容器組立体１４０の実施形態の部分断面図であり、取付け境界部２４２の実施形態を示す。具体的には、取付け境界部２４２は、１つ又は複数のスナップ嵌め特徴体を持つスナップ嵌め境界部２８０を含むことができる。スナップ嵌め境界部２８０は、半径方向突出部２８２（例えば、環状突出部、又は半径方向に突出するリング、リップ又はフィンガ）を有する第１保持体２０２と、ショルダ１９２の軸方向上方で当接する内側面２４０上に対応する半径方向凹部２８４（例えば、環状凹部）を有するカップ１４２の側壁１９４と、を含むことができる。半径方向突出部２８２は、半径方向突出部２８２と半径方向凹部２８４との間の接触エリアがスナップ嵌め境界部２８０を形成するように、半径方向凹部２８４によって受け入れられるように構成できる。スナップ嵌め境界部２８０は、フィルタ組立体１５８がカップ１４２内部にかつ蓋１４４外部に取外し可能に取り付けられるように、取付け境界部２４２として作用できる（図７）。いくつかの実施形態において、スナップ嵌め境界部２８０は、複数の半径方向突出部２８２を有する第１保持体２０２を有する第１保持体２０２を含むことができ、半径方向突出部は、カップ１４２のショルダ１９２の軸方向上方で内側面２４０の対応する複数の半径方向凹部２８４によって受け入れられる。いくつかの実施形態において、スナップ嵌め境界部２８０は、突出部と凹部の逆の構成を含むことができ、この場合、突出部２８２は、内側面２４０に配置され、凹部２８４は第１保持体２０２に配置される。いくつかの実施形態において、スナップ嵌め境界部２８０は、内側面２４０及び第１保持体２０２の両方において突出部２８２及び凹部２８４の両方を含むことができる。
【００３３】
図９は、線７−７内を示す図６の容器組立体１４０の実施形態の部分断面図であり、取付け境界部２４２の実施形態を示す。具体的には、取付け境界部２４２は、摩擦嵌め境界部３００を持つことができる。摩擦嵌め境界部３００は、第１部分３０２（例えば、第１環状部分又はベース部分）と第２部分３０４（例えば、第２環状部分又は延長部分）とを有する第１保持体２０２を含むことができる。第１部分３０２は、フィルタ２００を保持するように構成でき、カップ１４２内部に環状ショルダ１９２の上に軸方向に当接して配置できる。第１部分３０２は、ショルダ１９２の上方で第２部分３０４へ移行できる。例えば、第２部分３０４は、環状ショルダ１９２の上方でカップ１４２の主開口部（例えば、口２２０）へ向かって延び、蓋１４４の下方の位置で終了できる（例えば、第２部分３０４は、蓋１４４のどの部分にも触れない又は蓋のどの部分の中へも延びない）。第２部分３０４の外側面２６６は、カップ１４２の側壁１９４の内側面２４０に接触し、接触エリアは、摩擦嵌め境界部３００を形成する。摩擦嵌め境界部３００は、少なくとも部分的に又は全体的に、フィルタ組立体１５８をカップ１４２内部にかつ蓋１４４外部に取外し可能に取り付けるための取付け境界部２４２として作用できる。特定の実施形態において、摩擦嵌め境界部３００を形成する面２６６及び２４０の一方又は両方は、円滑な環状面、１つ又は複数の表面テクスチャを持つテクスチャ付き環状面及び／又は１つ又は複数の突出部、凹部又はその組合せを有する非円滑環状面を含むことができる。
【００３４】
図１０は、図９の容器組立体１４０の実施形態の部分断面図であり、取付け境界部２４２の付加的保持特徴体を示す。第１保持体２０２は、第１部分３０２と第２部分３０４とを含むことができる。第１部分３０２は、フィルタ２００を保持するように構成でき、カップ１４２内部で環状ショルダ１９２の上に軸方向に当接して配置できる。第２部分３０４は、環状ショルダ１９２上方でカップ１４２の主開口部（例えば、口２２０）へ向かって、延びることができる。具体的には、特定の実施形態において、取付け境界部２４２は、図１０の左側に示すスナップ嵌め境界部３２０、図１０の右側に示す摩擦嵌め又は締まり嵌め境界部３２２又はその組合せを含むことができる。
【００３５】
スナップ嵌め境界部３２０のスナップ嵌め特徴体は、第２部分３０４に沿って外側面２６６に複数の半径方向突出部３２４（例えば、環状突出部）を有する第１保持体２０２を含むことができる。したがって、カップ１４２の側壁１９４は、内側面２４０に複数の半径方向凹部３２６（例えば、環状凹部）を持つことができる。その代わりに又はそれに加えて、複数の半径方向突出部３２４を側壁１９４の内側面２４０に配置し、対応する複数の半径方向凹部３２６を第１保持体２０２の第２部分３０４に沿って外側面２６６に配置できる。いずれの実施形態又はその組合せにおいても、対応する複数の半径方向凹部３２６は、スナップ嵌め特徴体の間の接触エリアがスナップ嵌め境界部３２０を形成するように、複数の半径方向突出部３２４を受け入れるように構成される。スナップ嵌め境界部３２０は、少なくとも部分的に又は全体的に、カップ１４２内部にかつ蓋１４４外部にフィルタ組立体１５８を取外し可能に取り付けるための取付け境界部２４２として作用できる。但し、いくつかの実施形態において、スナップ嵌め境界部３２０は、図９の摩擦嵌め境界部３００、図１０の締まり嵌め境界部３２２又はその組合せと組み合わせできる。
【００３６】
図１０の右側に示す締まり嵌め境界部３２２は、単独で、又は本明細書において開示する他の保持特徴体と組み合わせて使用できる。境界部３２２の締まり嵌め特徴体は、第２部分３０４に沿って外側面２６６に複数の半径方向突出部３２４（例えば環状突出部）を有する第１保持体２０２を含むことができる。但し、カップ１４２の側壁１９４は、突出部又は凹部無し（例えば、比較的円滑な環状面）とすることができる。複数の半径方向突出部３２４は、側壁１９４の内側面２４０に接触して、締まり嵌め境界部３２２を形成し、これが、少なくとも部分的に又は全体的に、カップ１４２内部にかつ蓋１４４外部にフィルタ組立体１５８を取外し可能に取り付けるための取付け境界部２４２として作用できる（図９）。それに代えて又はそれに加えて、複数の半径方向突出部３２４は、側壁１９４の内側面２４０に配置され、第１保持体２０２の第２部分３０４に沿った外側面２６６は、実質的に円滑（円滑環状面）にすることができる。
【００３７】
図１１は、図９の容器組立体１４０の実施形態の部分断面図であり、取付け境界部２４２の実施形態を示す。フィルタ組立体１５８は、第１保持体２０２と、別個の第２保持体３４０を含むことができる（例えば、第１保持体２０２と第２保持体３４０は相互に分離する）。第１保持体２０２は、フィルタ２００を保持するように構成され、カップ１４２内部で環状ショルダ１９２の上にこれに当接して配置される。第２保持体３４０（例えば、環状保持体、ロックリング又は抑えリング（hold down ring））は、第１保持体２０２を保持するように構成できる。具体的には、第２保持体３４０は、第１保持体２０２の上にこれに当接して配置でき、環状ショルダ１９２の上方でカップ１４２の主開口部（例えば、口２２０）へ向かって延び、蓋１４４の下方の位置で終了する（例えば、第２保持体３４０は、蓋１４４の中まで延びない又はそのどの部分にも接触しない）。第２保持体３４０は、保持部分３４４を介して第１保持体２０２に接触するように構成できる。保持部分は、第１保持体２０２の凹部３４５の中に配置できる。保持部分３４４は、プレス嵌め、締まり嵌め、スナップ嵌め又は隙間嵌めにより凹部３４５に取外し可能に結合できる。
【００３８】
更に、第２保持体３４０は、側壁１９４の内側面２４０と接触して取付け境界部３４２を生成するように構成できる。取付け境界部３４２は、上記で説明したように、摩擦嵌め境界部３００、締まり嵌め境界部３２２又はスナップ嵌め境界部２８０又は３２０（例えば、スナップ嵌め特徴体は、少なくとも１つの半径方向突出部及びこれに対応する凹部を含む）又はその任意の組合せのいずれでも良い。このように、第１保持体２０２は、第２保持体３４０によって保持され、第２保持体３４０は、カップ１４２内部にかつ蓋１４４外部にフィルタ組立体１５８を取外し可能の取り付けるためにカップ１４２との間に取付け境界部３４２を形成できる。特定の実施形態において、第２保持体３４０は、スプリットロックリング（例えば、Ｃリング）などのロックリングを含むことができる。
【００３９】
図１２は、図９の容器組立体１４０の実施形態の部分断面図であり、取付け境界部２４２の実施形態を示す。第１保持体２０２は、第１部分３６０（例えば、第１環状部分又はベース部分）と第２部分３６２（例えば、第２環状部分又は延長部分）とを含むことができる。第１部分３６０は、カップ１４２内部において環状ショルダ１９２の上でこれに軸方向に当接して配置できる。第１部分３６０は、ショルダ１９２上方で第２部分３６２へ移行でき、第２部分３６２は、カップ１４２の中で軸方向に環状ショルダ１９２の下方で主開口部（例えば、口２２０）から離れる方向へ延びることができる。第２部分３６２は、フィルタ２００を保持するように構成でき、第１部分３６０は、カップ１４２の側壁１９２に接触して取付け境界部２４２を形成するように構成できる。具体的には、第１部分３６０は、側壁１９２の内側面２４０に接触して取付け境界部２４２を形成する外側面３６４（例えば、外側環状面）を持つことができる。取付け境界部２４２は、上記で詳細に論じたように、摩擦嵌め境界部３００、締まり嵌め境界部３２２又はスナップ嵌め境界部２８０又は３２０（例えば、スナップ嵌め特徴体は少なくとも１つの半径方向突出部及びこれに対応する凹部を含む）又はその任意の組合せのいずれかを含むことができる。したがって、フィルタ組立体１５８は、カップ内部にかつ蓋１４４外部に取外し可能に取り付けできる。
【００４０】
上述のように、フィルタ組立体１５８は、単独で又は相互に任意に組み合わせて使用できる様々な構成及び保持特徴体を含むことができる。したがって、図１〜１２に示し説明する特徴体はいずれも、相互に任意に組み合わせて使用されるものとする。更に、開示する実施形態はカップ１４２内部にかつ蓋１４４外部に取り付けられるフィルタ組立体１５８を提示するが、いくつかの実施形態は、カップ１４２の中に配置されるフィルタ組立体１５８と、蓋１４４、流体流路又はその任意の組合せの中に配置された１つ又は複数の付加的なフィルタ組立体１５８との両方を含むことができる。
【００４１】
本発明の特定の特徴についてのみ図解し説明したが、当業者には多くの修正及び変更が思い浮かぶはずである。したがって、特許請求は、前記の修正及び変更全てを本発明の真の主旨の範囲内にあるものとして包含するものとする。
【図１】
2019511981.tif 000003
【図２】
2019511981.tif 000004
【図３】
2019511981.tif 000005
【図４】
2019511981.tif 000006
【図５】
2019511981.tif 000007
【図６】
2019511981.tif 000008
【図７】
2019511981.tif 000009
【図８】
2019511981.tif 000010
【図９】
2019511981.tif 000011
【図１０】
2019511981.tif 000012
【図１１】
2019511981.tif 000013
【図１２】
2019511981.tif 000014
【国際調査報告】
2019511981.tif 000015
2019511981.tif 000016
2019511981.tif 000017